(57)【要約】【課題】火災時において枠体と障子の間での隙間の発生を効果的に防止できる技術を提供する。【解決手段】建具１０は、建物の開口部に設けられる枠体２０と、枠体２０の内側に納められる障子３０と、枠体２０と障子３０の間に介装され、加熱により膨張する熱膨張性耐火材により少なくとも一部が形成される気密材５０と、枠体２０と障子３０の間に設けられる間隙部３５にて気密材５０が膨張する範囲を狭めるように、間隙部３５を少なくとも部分的に仕切る隔壁体７０とを備えることを特徴とする。【選択図】図３
2015094082.tif 000002
【特許請求の範囲】
【請求項１】
建物の開口部に設けられる枠体と、
前記枠体の内側に納められる障子と、
前記枠体と前記障子の間に介装され、加熱により膨張する熱膨張性耐火材により少なくとも一部が形成される気密材と、
前記枠体と前記障子の間に形成され、前記気密材の一部が露出する間隙部と、
前記間隙部にて前記気密材が膨張する範囲を狭めるように、該間隙部を少なくとも部分的に仕切る隔壁体と、を備えることを特徴とする建具。
【請求項２】
前記隔壁体は、前記気密材が膨張するとき、その気密材が前記間隙部にて前記障子側に案内されるように該間隙部を仕切ることを特徴とする請求項１に記載の建具。
【請求項３】
前記障子は、複数の框部材を枠組みして構成される框体と、前記框体に設けられる被係合部とを有し、
前記隔壁体は、前記複数の框部材の熱伸びにより前記框体が見付方向外側に変形するとき、前記被係合部と見込方向に重なる位置に配置される反り拘束部を有し、
前記反り拘束部は、前記被係合部と見込方向に重なる位置にあるとき、前記框体の見込方向の反りを前記被係合部との係合により拘束することを特徴とする請求項１または２に記載の建具。
【請求項４】
前記枠体は、その内周部から見付方向内側に延びる延出部を有し、
前記気密材は、前記延出部と前記障子の間に介装され、
前記反り拘束部には、見付方向外側に向かうにつれて前記延出部に近づく案内面が形成されることを特徴とする請求項３に記載の建具。
【請求項５】
前記気密材と前記隔壁体の間に設けられ、加熱により膨張する熱膨張性耐火材により形成される補助膨張体を更に備えることを特徴とする請求項１から４のいずれかに記載の建具。
【請求項６】
前記隔壁体は、前記障子の外周部と前記枠体の内周部との間に配置され、
前記障子から前記隔壁体までの見付方向長さが最も狭くなる箇所と、前記隔壁体と見込方向にずれた位置において前記障子から前記枠体までの見付方向長さが最も狭くなる箇所との長さが合わせられることを特徴とする請求項１から５のいずれかに記載の建具。
【発明の詳細な説明】
【技術分野】
【０００１】
本発明は、建物の開口部に設けられる建具に関する。
【背景技術】
【０００２】
建物の窓部、扉部等の開口部には引き違い窓、倒し窓等の建具が設けられる。建具は、枠体と、枠体に納められる障子を備える。障子は、複数の框部材を矩形状に枠組みして構成される框体と、框体の内側に嵌め込まれるパネル体とを備える。枠体と障子は、これらの間に介装される気密材によりシールされる。
【０００３】
建具は、火災時に高温に晒されると、框体の各框部材が見込方向の加熱されている側に反る熱反りが発生する。この結果、障子が気密材から離れて枠体との間に隙間が生じ、その隙間を通じて火炎が進入して延焼の原因となりかねない。
【０００４】
この対策として、加熱により膨張する熱膨張性耐火材により気密材の一部を形成する構造が提案される（特許文献１参照）。この構造により、火災時に障子と枠体の間に隙間が生じても、その隙間が膨張した耐火材により塞がれる。
【先行技術文献】
【特許文献】
【０００５】
【特許文献１】特開２０１２−１２２３１０号公報
【発明の概要】
【発明が解決しようとする課題】
【０００６】
特許文献１の構造によれば、枠体と障子の間での隙間の発生を防止するうえで、ある程度の効果を期待できる。しかし、框体の反り量が大きい場合や、熱膨張性耐火材の材質によっては膨張量が不十分な場合もあり、これらの場合でもその隙間の発生をより効果的に防止できる技術が望まれる。
【０００７】
本発明は、このような課題に鑑みてなされ、その目的は、火災時において枠体と障子の間での隙間の発生を効果的に防止できる技術を提供する。
【課題を解決するための手段】
【０００８】
上述の課題を解決するために、本発明のある態様は、建具に関する。建具は、建物の開口部に設けられる枠体と、枠体の内側に納められる障子と、枠体と障子の間に介装され、加熱により膨張する熱膨張性耐火材により少なくとも一部が形成される気密材と、枠体と障子の間に形成され、気密材の一部が露出する間隙部と、間隙部にて気密材が膨張する範囲を狭めるように、間隙部を少なくとも部分的に仕切る隔壁体とを備えることを特徴とする。この態様によれば、気密材の膨張する範囲が狭められるため、枠体と障子の間に隙間が発生しても、その隙間に膨張する気密材が行き渡り易くなり、その隙間を塞ぎ易くなる。
【０００９】
前述の態様において、隔壁体は、気密材が膨張するとき、その気密材が間隙部にて障子側に案内されるように間隙部を仕切ってもよい。この態様によれば、障子の変形により枠体と障子の間に隙間が発生しても、その隙間に膨張する気密材が更に行き渡り易くなり、その隙間を更に塞ぎ易くなる。
【００１０】
また、前述の態様において、障子は、複数の框部材を枠組みして構成される框体と、框体に設けられる被係合部とを有し、隔壁体は、複数の框部材の熱伸びにより框体が見付方向外側に変形するとき、被係合部と見込方向に重なる位置に配置される反り拘束部を有し、反り拘束部は、被係合部と見込方向に重なる位置にあるとき、框体の見込方向の反りを被係合部との係合により拘束してもよい。この態様によれば、框体の反りによる枠体と障子の間の隙間の発生を防止できる。
【００１１】
また、この態様において、枠体は、その内周部から見付方向内側に延びる延出部を有し、気密材は、延出部と障子の間に介装され、反り拘束部には、見付方向外側に向かうにつれて延出部に近づく案内面が形成されてもよい。この態様によれば、複数の框部材の熱伸びにより框体が見付方向外側に変形したとき、反り拘束部の案内面により枠体の延出部に引き寄せられるように障子が案内される。よって、障子と枠体の延出部の間に介装される気密材が見込方向に強固に押し潰され、この気密材の押し潰しによりこれらの間が強固にシールされ、そこからの炎の進入を効果的に防止できる。
【００１２】
また、前述の態様において、気密材と隔壁体の間に設けられ、加熱により膨張する熱膨張性耐火材により形成される補助膨張体を更に備えてもよい。この態様によれば、気密材と隔壁体の間での膨張成分の密度が高められ、枠体と障子の間からの炎の進入を効果的に防止できる。
【００１３】
また、前述の態様において、隔壁体は、障子の外周部と枠体の内周部との間に配置され、障子から隔壁体までの見付方向長さが最も狭くなる箇所と、隔壁体と見込方向にずれた位置において障子から枠体までの見付方向長さが最も狭くなる箇所との長さが合わせられてもよい。この態様によれば、框体の各框部材の熱伸びにより框体が見付方向外側に変形するとき、ほぼ同じタイミングで、枠体と隔壁体に障子が見込方向の二箇所で突き当たる。この状態で框体が見付方向外側に変形するように応力が生じるため、その突き当たる部位が変形し難くなり、その変形に伴う隙間の発生を防止できる。
【発明の効果】
【００１４】
本発明によれば、火災時に枠体と障子の間での隙間の発生を効果的に防止できる。
【図面の簡単な説明】
【００１５】
【図１】第１実施形態に係る建具の縦断面図である。
【図２】第１実施形態に係る建具の横断面図である。
【図３】第１実施形態に係る縦枠と縦框を示す拡大断面図である。
【図４】火災時の障子の状態を示す拡大断面図である。
【図５】火災時の障子の状態を示す横断面図である。
【図６】第１変形例に係る建具を示す拡大断面図である。
【図７】第２変形例に係る建具を示す拡大断面図である。
【図８】第３変形例に係る建具を示す拡大断面図である。
【発明を実施するための形態】
【００１６】
［第１の実施の形態］
図１は第１実施形態に係る建具１０の縦断面図であり、図２はその横断面図である。なお、以下の説明においては、便宜上、図示の状態を基準に各構成要素の位置関係を表現する場合がある。また、建具１０の面外方向である見込方向を方向Ｘ、建具１０の面内方向である見付方向を方向Ｙとして説明する。
【００１７】
建具１０は建物の開口部１１に設けられ、その見込方向Ｘ両側の空間である室内空間と室外空間を仕切る。建具１０は滑り出し窓を例示する。建具１０は、枠体２０と、障子３０と、気密材５０と、補助膨張体６０と、隔壁体７０を備える。
【００１８】
枠体２０はサッシを例示する。枠体２０は、建物の開口部１１の内周側に周方向に沿って設けられる。枠体２０は、上枠２１と、下枠２３と、左右の縦枠２５を含み、これら複数の枠部材を矩形状に枠組みして構成される。
【００１９】
障子３０は、框体４０と、パネル体３１を有する。障子３０は、枠体２０の内側に納められる。框体４０は、上框４１と、下框４３と、左右の縦框４５を含み、これら複数の框部材を矩形状に枠組みして構成される。パネル体３１は、ガラス板等である。パネル体３１は、框体４０の内側に嵌め込まれる。上枠２１等の枠部材や上框４１等の框部材は、アルミニウム等の金属材料を素材とした押出成形体等により構成される。
【００２０】
枠体２０は、各枠２１、２３、２５の内周側にて見込方向Ｘに延びる内周部２０ａと、内周部２０ａの室内側（見込方向Ｘ一端側）端部から見付方向Ｙ内側に延びる室内側延出部２０ｂとを有する。縦枠２５の室内側延出部２０ｂは、縦枠２５と見付方向Ｙに対向する障子３０の縦框４５と見込方向Ｘの位置が重なるように形成される。他の上枠２１、下枠２３の室内側延出部２０ｂも、各枠２１、２３と見付方向Ｙに対向する障子３０の上框４１、下框４３と見込方向Ｘに位置が重なるように形成される。
【００２１】
枠体２０の室内側延出部２０ｂには、障子３０の框体４０の室内側面４０ｃ（見込方向Ｘの側面）と見込方向Ｙに対向する位置に保持部２７が設けられる。保持部２７は、枠体２０の室内側延出部２０ｂに間隔を空けて設けられる一対の突起部２７ａを含む。各突起部２７ａはＬ字状に形成される。
【００２２】
障子３０は、各框４１、４３、４５の外周側にて見込方向Ｘに延びる外周部３０ｃと、外周部３０ｃの室外側（見込方向Ｘ他端側）端部から見付方向Ｙ外側に延びる室外側延出部３０ｄとを有する。枠体２０の内周部２０ａと障子３０の外周部３０ｃは見付方向Ｙに対向して設けられる。また、障子３０の上框４１と下框４３は、図１に示すように、障子３０の外周部３０ｃの室内側端部から見付方向Ｙ外側に延びる被係合部３０ｅを有する。また、障子３０の縦框４５は、図２に示すように、その外周部３０ｃが室内側にて見付方向に窪むように、見込方向Ｘにかけて段状に形成される。縦框４５は、その外周部３０ｃの室内側端部から見付方向Ｙ外側に延びる被係合部３０ｅを有する。
【００２３】
左右の縦枠２５は、図２に示すように、その内周部２０ａに回動軸部品２９が設けられる。障子３０は、図１に示すように、その上側の側辺部３０ａにおいて、枠体２０の縦枠２５に縦框４５が回動軸部品２９（図１には図示せず）を介して回動自在に連結される。これにより、障子３０は、その上側の側辺部３０ａを吊元側の回転中心とし、逆側の下側の側辺部３０ｂを戸先側として、その見込方向Ｘの一方（図示は室外側）に向けて下側の側辺部３０ｂが傾動自在に枠体２０に取り付けられる。障子３０は、建物の開口部１１を開く開位置と、その開口部１１を閉じる閉位置との間を傾動する。つまり、障子３０は、その傾動により開口部１１を開閉する。障子３０の戸先側の下框４３にはハンドル３３が設けられる。障子３０が閉位置にある状態でハンドル３３を回動操作すると、障子３０の枠体２０に対するロックの有無が切り替えられる。
【００２４】
障子３０が閉位置にあるとき、障子３０の外周部３０ｃと枠体２０の内周部２０ａとの間には間隙部３５が形成される。間隙部３５は、枠体２０の内周部２０ａ、室内側延出部２０ｂと、障子３０の外周部３０ｃ、室外側延出部３０ｄとにより囲まれて形成される。間隙部３５には、後述の気密材５０の一部である本体部５３が露出する。
【００２５】
気密材５０は、枠体２０の各枠２１、２３、２５の室内側延出部２０ｂに取り付けられる。この室内側延出部２０ｂは、障子３０が閉位置にあるとき、各枠２１、２３、２５と見付方向Ｙに対向する障子３０の室内側面４０ｃが気密材５０を介して当接される戸当り部となり、気密材５０は、枠体２０の戸当り部に取り付けられることになる。気密材５０は、各枠２１、２３、２５の室内側延出部２０ｂに長手方向に沿って設けられ、各枠２１、２３、２５の気密材５０により全体として環状に形成される。
【００２６】
図３は、縦枠２５と縦框４５を示す拡大断面図である。気密材５０、補助膨張体６０、隔壁体７０は、縦枠２５の近傍に設けられるものと他の上枠２１、下枠２３の近傍に設けられるものとで構成の大半が共通する。よって、以下、縦枠２５の近傍のものを詳細に説明し、他の上枠２１、下枠２３の近傍のものとの共通点は説明を省略し、相違点は個別に説明する。
【００２７】
気密材５０は、基部５１と、本体部５３を含む。基部５１は板状に形成される。基部５１は、枠体２０の室内側延出部２０ｂの室外側面２０ｄ（見込方向Ｘの側面）と一対の突起部２７ａとの間に差し込まれ、その両側端部が一対の突起部２７ａに係合して保持される。
【００２８】
本体部５３は、基部５１から見込方向Ｘに突出して設けられる。本体部５３は、障子３０が閉位置にあるとき、枠体２０の室内側延出部２０ｂと障子３０の室内側面４０ｃとの間に介装される。本体部５３は、これらにより押し潰され、その弾性復元力によりこれらの間をシールする。
【００２９】
補助膨張体６０は、気密材５０の一部として一体成形され、気密材５０の本体部５３から見付方向Ｙ外側に突出する。補助膨張体６０は、気密材５０の本体部５３と後述する隔壁体７０の間に設けられる。補助膨張体６０は、障子３０の外周部３０ｃより見付方向Ｙ外側にずれた位置、つまり、常温時に障子３０と接触しない位置に配置される。補助膨張体６０は、本実施形態において、枠体２０の室内側延出部２０ｂと障子３０との間で押し潰される気密材５０の本体部５３より厚さが薄くなるように形成される。
【００３０】
気密材５０の本体部５３と補助膨張体６０は、弾性を有し、加熱により膨張する熱膨張性耐火材により形成される。熱膨張性耐火材は、膨張性材料と耐火材を含有し、所定の温度（たとえば２００℃）を超えると膨張する特性を有する。膨張性材料は、たとえば、熱膨張性黒鉛、ひる石等であり、耐火材は、たとえば、ロックウール、セラミック、珪酸カルシウム、グラスウール等の無機繊維材や、塩化ビニル系樹脂、シリコン系樹脂等である。熱膨張性耐火材は、このような特性を満たす公知の素材が用いられてよく、たとえば、積水化学工業株式会社の商品名「フィブロック（登録商標）」が用いられる。気密材５０の本体部５３と補助膨張体６０は、本実施形態において、その全長に亘る範囲が熱膨張性耐火材により形成される。
【００３１】
気密材５０の基部５１は、塩化ビニル系樹脂、シリコン系樹脂等の耐火性に優れた耐火材により形成される。気密材５０の基部５１と本体部５３と補助膨張体６０は、本実施形態において、一体成形により設けられる。なお、図３では、基部５１と本体部５３の境界となる箇所を点線で示す。
【００３２】
隔壁体７０は、枠体２０と障子３０の間の間隙部３５にて室内側延出部２０ｂ寄りの位置に配置される。隔壁体７０は、常温時に障子３０の開閉動作と干渉しない位置に配置される。隔壁体７０は、気密材５０の長手方向長さと略合致する長さ、つまり、気密材５０の長手方向長さと合わせた長さに形成される。
【００３３】
隔壁体７０は、被固定部７１と、第１壁部７３と、第２壁部７５と、反り拘束部７７を含む。隔壁体７０は、本実施形態において、アルミニウム等の金属材料を素材として押出成形等により各部位が一体成形される。
【００３４】
縦枠２５、上枠２１の近傍に設けられる隔壁体７０は、枠体２０の内周部２０ａに被固定部７１が当接され、ねじ等により固定される。下枠２３の近傍に設けられる隔壁体７０は、枠体２０の室内側延出部２０ｂの室外側面に被固定部７１が当接され、ねじ等により固定される。なお、被固定部７１の枠体２０への固定位置はこれに限定されない。
【００３５】
第１壁部７３は、気密材５０より見付方向Ｙ外側にずれた位置であって、枠体２０の内周部２０ａより見付方向Ｙ内側にずれた位置に配置される。第１壁部７３は、見込方向Ｘに延びるように形成される。第１壁部７３は、間隙部３５にて気密材５０や補助膨張体６０が膨張する範囲を見付方向Ｙに狭めるように、その間隙部３５を見付方向Ｙに部分的に仕切る。
【００３６】
第２壁部７５は、気密材５０の本体部５３より室内側（見込方向Ｘの一方）にずれた位置であって、枠体２０の室内側延出部２０ｂより見込方向Ｙの気密材５０側にずれた位置に配置される。第２壁部７５は、第１壁部７３の室内側端部から見付方向Ｙ内側に延びるように形成される。第２壁部７５は、気密材５０の補助膨張体６０の室内側を覆うように配置される。第２壁部７５は、間隙部３５にて気密材５０や補助膨張体６０が膨張する範囲を見込方向Ｙに狭めるように、その間隙部３５を見込方向Ｙに部分的に仕切る。
【００３７】
反り拘束部７７は、気密材５０より室外側（見込方向Ｘの他方）にずれた位置に配置される。反り拘束部７７は、第１壁部７３の室外側端部から見付方向Ｙ内側に傾斜して延びるように形成される。反り拘束部７７には、その見付方向Ｙの内側に案内面７７ａが形成される。案内面７７ａは、建具１０の見付方向Ｙ外側に向かうにつれて室内側延出部２０ｂに近づくように形成される。
【００３８】
隔壁体７０は、その見込方向Ｙの全長に亘る範囲Ｓ１内において、障子３０の被係合部３０ｅから第１壁部７３までの箇所が見付方向長さＰ１が最も狭くなる。また、枠体２０と障子３０は、隔壁体７０に対して見込方向Ｙにずれた位置での障子３０の見込方向Ｙの全長に亘る範囲Ｓ２内において、障子３０の室外側延出部３０ｄから枠体２０の内周部２０ａまでの箇所が見付方向長さＰ２が最も狭くなる。枠体２０、障子３０、隔壁体７０は、これら見付方向長さＰ１と見付方向長さＰ２の長さが略同一となる、つまり、これらの長さが合わせられるように寸法が調整される。
【００３９】
以上の建具１０の火災時の作用効果を説明する。火災時において、建具１０が高温に晒されると、障子３０の框体４０の各框４１、４３、４５が長手方向に伸びる熱伸びや、各框４１、４３、４５が見込方向Ｘの加熱されている側に反る熱反りが発生する。この熱反りにより、障子３０が気密材５０の本体部５３から方向Ｑ１（図３参照）に離れ、これらの間に隙間が生じる場合がある。
【００４０】
ここで、本実施形態に係る建具１０によれば、気密材５０の本体部５３を形成する熱膨張性耐火材が加熱により膨張する。気密材５０の本体部５３は、主として、その厚さ方向に膨張し、厚さ方向に他の物体があれば、そこから側方に広がるように膨張する。よって、気密材５０の本体部５３は、枠体２０の室内側延出部２０ｂと障子３０の間から見付方向Ｙに広がるように膨張する。
【００４１】
このとき、膨張した気密材５０の本体部５３は、隔壁体７０の第１壁部７３や第２壁部７５に接触し、そこから見込方向Ｘ室外側に更に広がるように膨張する。また、補助膨張体６０は、隔壁体７０の第１壁部７３、第２壁部７５に接触し、見込方向Ｘ室外側に広がるように膨張する。つまり、間隙部３５にて枠体２０の内周部２０ａ側への気密材５０等の膨張は第１壁部７３により拘束され、枠体２０の室内側延出部２０ｂ側への膨張は第２壁部７５により拘束される。よって、気密材５０の本体部５３、補助膨張体６０は、間隙部３５にて枠体２０の内周部２０ａ側や室内側延出部２０ｂ側ではなく障子３０側に案内されるように膨張し、図４に示すように、主として障子３０と隔壁体７０により囲まれた範囲が膨張した気密材５０の本体部５３、補助膨張体６０により塞がれる。このように、隔壁体７０の各壁部７３、７５は、間隙部３５にて気密材５０が膨張する範囲を狭め、その膨張する気密材５０が間隙部３５にて枠体２０側ではなく障子３０側に案内されるように、間隙部３５を部分的に仕切る。
【００４２】
また、框体４０の各框４１、４３、４５の熱伸びにより框体４０が見付方向Ｙ外側に変形するとき、図４に示すように、障子３０の被係合部３０ｅが反り拘束部７７より室内側に移動する。つまり、反り拘束部７７は、框体４０が見付方向外側に変形するとき、障子３０の被係合部３０ｅと見込方向Ｘに重なる位置に配置される。このとき、各框４１、４３、４５の熱反りにより框体４０の見込方向Ｘの反りが生じると、反り拘束部７７と障子３０の被係合部３０ｅの係合により、その反りが拘束される。
【００４３】
また、各框４１、４３、４５の熱伸びにより框体４０が見付方向Ｙ外側に変形するとき、各框４１、４３、４５の熱反りにより框体４０が見込方向Ｘに反りが生じていると、被係合部３０ｅの先端部３０ｆが反り拘束部７７の案内面７７ａに係合する。この状態で框体４０が見付方向外側に更に変形すると、反り拘束部７７の案内面７７ａにより枠体２０の室内側延出部２０ｂに引き寄せられるように障子３０が案内される。
【００４４】
また、障子３０から隔壁体７０までの見付方向長さＰ１と、隔壁体７０に対して見込方向Ｙにずれた位置における障子３０から枠体２０までの見付方向長さＰ２とが合わせられる。よって、框体４０の各框４１、４３、４５の熱伸びにより框体４０が見付方向Ｙ外側に変形するとき、図４、図５に示すように、ほぼ同じタイミングで、障子３０の被係合部３０ｅが隔壁体７０に突き当たるとともに、障子３０の室外側延出部３０ｄが枠体２０に突き当たる。この状態で、つまり、枠体２０と隔壁体７０に障子３０が見込方向Ｘの二箇所で突き当たった状態で框体４０が見付方向Ｙ外側に変形するように応力が生じるため、その突き当たる部位が変形し難くなり、その変形に伴う隙間の発生を防止できる。
【００４５】
以上のように、本実施形態に係る建具１０によれば、気密材５０の膨張する範囲を狭めるように間隙部３５が隔壁体７０により仕切られる。よって、気密材５０の膨張する範囲が隔壁体７０により狭められるため、枠体２０の室内側延出部２０ｂと障子３０の室内側面４０ｃとの間に隙間が発生しても、その隙間に膨張する気密材５０が行き渡り易くなり、その隙間を塞ぎ易くなる。特に、膨張する気密材５０が間隙部３５にて枠体２０側ではなく障子３０側に隔壁体７０により案内されるため、框体４０の反り等の障子３０の変形により枠体２０と障子３０の間に隙間が生じても、その隙間に膨張する気密材５０が行き渡り易くなる。これにより、枠体２０と障子３０の間からの炎の進入を防止でき、建具１０の耐火性能を確保できる。また、膨張する気密材５０により間隙部３５全体を塞ぐ必要がなくなり、気密材５０を構成する熱膨張性耐火材の使用量が抑えられる。
【００４６】
また、隔壁体７０の反り拘束部７７により障子３０の框体４０の反りを拘束できるため、この反りによる枠体２０の室内側延出部２０ｂと障子３０の室内側面４０ｃとの間の隙間の発生を防止できる。
【００４７】
また、各框４１、４３、４５の熱伸びにより框体４０が見付方向外側に変形したとき、反り拘束部７７の案内面７７ａにより枠体２０の室内側延出部２０ｂに引き寄せられるように障子３０が案内される。よって、障子３０と枠体２０の室内側延出部２０ｂの間に介装される気密材５０が見込方向Ｘに強固に押し潰され、この気密材５０の押し潰しによりこれらの間が強固にシールされ、そこからの炎の進入を効果的に防止できる。また、障子３０の框体４０の反りを拘束するために別部品を設ける必要がなくなるため、建具１０の製造コストを抑えられる。
【００４８】
また、気密材５０に補助膨張体６０が設けられるため、気密材５０と隔壁体７０の間での膨張成分の密度が高められ、枠体２０と障子３０の間からの炎の進入をより効果的に防止できる。
【００４９】
［第１変形例］
図６は、第１実施形態の第１変形例に係る建具１０を示す。以下、第１実施形態で説明した要素と同一の要素に同一の符号を付し、重複する説明を省略する。
【００５０】
建具１０は、上述の第１実施形態と比較して、補助膨張体６０がない点と、隔壁体７０の構成が主に相違する。隔壁体７０は、被固定部７１と、第１壁部７３と、反り拘束部７７を含み、第２壁部７５が設けられていない。第１壁部７３は、枠体２０の室内側延出部２０ｂに当接するまで見込方向Ｘに延びるように形成される。
【００５１】
このように、隔壁体７０は、第１壁部７３のみが設けられていてもよい。また、この他に、隔壁体７０は、第２壁部７５のみが設けられていてもよい。また、隔壁体７０は、反り拘束部７７がなくともよいし、各部位の形状は図示のものに限定されない。
【００５２】
［第２変形例］
図７は、第２変形例に係る建具１０を示す。建具１０は、第１実施形態と比較して、補助膨張体６０が気密材５０と一体成形ではなく、気密材５０と別体に設けられている点で相違する。補助膨張体６０は、隔壁体７０の第２壁部７５に予め接着等により取り付けられる。なお、補助膨張体６０は、気密材５０と隔壁体７０の間に設けられれば、その取り付け位置はこれに限定されない。
【００５３】
［第３変形例］
図８は、第３変形例に係る建具１０を示す。建具１０は、第１実施形態と比較して、隔壁体７０が枠体２０と別体ではなく、枠体２０と一体成形により設けられている点で相違する。隔壁体７０は、第１壁部７３と、第２壁部７５と、反り拘束部７７の他に、第１壁部７３と枠体２０の内周部２０ａを連続的につなぐ第１連設部７８と、第２壁部７５と枠体２０の室内側延出部２０ｂを連続的につなぐ第２連設部７９とを含む。
【００５４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５５】
上述の実施形態に係る建具１０は、滑り出し窓を説明した。建具１０は、枠体２０と、枠体２０に取り付けられ、建物の開口部１１を開閉する障子３０とを備えていればよく、これ以外の倒し窓、突き出し窓等の他の開き窓に適用されてもよい。また、建具１０は、窓ではなく扉に用いられてもよい。
【００５６】
気密材５０は、加熱により膨張する熱膨張性耐火材により少なくとも一部が形成されていればよい。気密材５０は、たとえば、基部５１と本体部５３が熱膨張性耐火材により形成されてもよい。気密材５０は、戸当り部となる室内側延出部２０ｂに設けられる例を説明した。気密材５０は、これ以外の部位に設けられてもよく、たとえば、引き違い窓において障子３０の戸車を収納する戸車収納部と、戸車を支持する枠体２０のレール部となる延出部との間に介装されてもよい。また、気密材５０は、枠体２０ではなく障子３０に保持されてもよい。
【００５７】
気密材５０は、その全長に亘る範囲ではなく、火災時に障子３０が大きく変形する範囲のみが加熱により膨張する熱膨張性耐火材により構成されてもよい。この大きく変形する範囲とは、たとえば、障子３０の框体４０の長手方向両端部や中間部である。
【００５８】
隔壁体７０は、枠体２０と障子３０の間の間隙部３５を少なくとも部分的に仕切ればよく、たとえば、その間隙部３５が見込方向Ｘ全体に亘り第１壁部７３により仕切られてもよい。また、隔壁体７０の反り拘束部７７は、各框４１、４３、４５の熱伸びにより框体４０が見付方向Ｙ外側に変形したとき、障子３０の被係合部３０ｅとの係合により框体４０の反りを拘束できればよい。このため、たとえば、見付方向Ｙ内側に見付方向Ｙと平行に延びるように形成されてもよい。
【符号の説明】
【００５９】
１０  建具、１１  開口部、２０  枠体、２０ａ  内周部、２０ｂ  室内側延出部、３０  障子、３０ｃ  外周部、３０ｄ  室外側延出部、３０ｅ  被係合部、３０ｆ  先端部、３１  パネル体、３５  間隙部、４０  框体、４１  上框（框部材）、４３  下框（框部材）、４５  縦框（框部材）、５０  気密材、５１  基部、５３  本体部、６０  補助膨張体、７０  隔壁体、７１  被固定部、７３  第１壁部、７５  第２壁部、７７  反り拘束部、７７ａ  案内面。
【図１】
2015094082.tif 000003
【図２】
2015094082.tif 000004
【図３】
2015094082.tif 000005
【図４】
2015094082.tif 000006
【図５】
2015094082.tif 000007
【図６】
2015094082.tif 000008
【図７】
2015094082.tif 000009
【図８】
2015094082.tif 000010